(57)【要約】      （修正有）【課題】平面状態のベッドで使用することができる介護用下腹部洗浄装置を提供する。【解決手段】合成樹脂やゴム等の遮水性のあるシート製であり、下腹部（腰部）を十分なゆとりをもって覆うことができる幅があり、上端は腹部までを覆い、下端は両大腿部付近（鼠径部より下方）までの長さを有し、股部で左右の大腿部を独立して覆うようにパンツ状に二つに分かれ、両大腿部の上面で下端から上端にかけて開放できるように開放部が本体部に対して開放部３の両側でファスナー４，５で接離可能に接続されており、両大腿部間に設けた連結部６によって本体部２と開放部を一体に連続させ、連結部に排水管７を接続させ、本体部もしくは開放部に内側に向けて二つの長手袋８，９を設けると共に温水ホース導入口１１を設けたことを特徴とする。【選択図】図３
2006346189.tif 000002
【特許請求の範囲】
【請求項１】
合成樹脂やゴム等の遮水性のあるシート製であり、下腹部（腰部）
を十分なゆとりをもって覆うことができる幅があり、上端は腹部までを覆い、下端は両大腿部付近（鼠径部より下方）までの長さを有し、股部で左右の大腿部を独立して覆うようにパンツ状に二つに分かれ、両大腿部の上面で下端から上端にかけて開放できるように開放部が本体部に対して開放部の両側でファスナーで接離可能に接続されており、両大腿部間に設けた連結部によって本体部と開放部を一体に連続させ、連結部に排水管を接続させ、本体部もしくは開放部に内側に向けて二つの長手袋を設けると共に温水ホース導入口を設けたことを特徴とする介護用下腹部洗滌用カバー。
【請求項２】
合成樹脂やゴム等の遮水性のあるシート製であり、下腹部（腰部）
を十分なゆとりをもって覆うことができる幅があり、上端は腹部までを覆い、下端は両大腿部付近（鼠径部より下方）までの長さを有し、股部で左右の大腿部を独立して覆うようにパンツ状に二つに分かれ、両大腿部の上面で下端から上端にかけて開放できるように開放部が本体部に対して開放部の両側でファスナーで接離可能に接続されており、両大腿部間に設けた連結部によって本体部と開放部を一体に連続させ、連結部に排水管を接続させ、本体部もしくは開放部に内側に向けて二つの長手袋を設けると共に温水ホース導入口を設けた介護用下腹部洗滌用カバーと、温水シャワー供給装置と、排水槽とよりなることを特徴とする介護用下腹部洗滌装置。
【発明の詳細な説明】
【技術分野】
【０００１】
本発明は、寝たきり老人や病人等の起き上がることができない寝たきりの被介護者の下腹部を洗う洗滌用カバーおよびこれを用いた介護用下腹部洗滌装置に関する。
【背景技術】
【０００２】
従来ベッドの上で寝たきりの人の身体を洗う介護用の入浴装置としては、水密製のシートで作成した入浴袋内に身体を入れ、給湯して２個の穴に取り付けた洗身用手袋を使って身体を洗うようにした装置がある（例えば、特許文献１参照。）。
【特許文献１】実開平６−６１２３９号公報
【発明の開示】
【発明が解決しようとする課題】
【０００３】
しかしながら、上述した従来の技術においては、入浴装置の簡易入浴袋内に略一杯に貯留したお湯がこぼれないようにするために、ベッドの上半身側が起きる形式のものでなくてはなくてはならず、平面状態のベッドでは使用することができないという問題がある。
さらに、簡易入浴袋内に湯を略満たして使用するために、入浴袋内に大きな圧力がかかると共にかなりの重量となり、しかも中の水の動きに従って重力が偏って不安定となって取扱いが非常に困難であるという問題がある。
【０００４】
また、入浴袋と一体の洗身用手袋では所望のところに自由に手がとどかず、しかも、介護人の手は常に手袋を介してしか入浴者に触れることができないという問題がある。
また、排泄物による汚れが皮膚に付いていると、それが床ずれを起こす原因になることが知られており、おしめ交換時にそのよごれをタオルでふき取ることが行われているが、完全にふき取ることが難しく、下腹部（腰部）だけを簡易に洗滌することができないという問題があった。
【０００５】
本発明は、上記の問題点を解決するためになされたもので、洗滌用カバー内でシャワーを用いて介護人が被介護者の下腹部（腰部）だけをベッド上で容易に洗うことができる手段を提供することを目的とする。
【課題を解決するための手段】
【０００６】
そこで本発明は、合成樹脂やゴム等の遮水性のあるシート製であり、下腹部（腰部）
を十分なゆとりをもって覆うことができる幅があり、上端は腹部までを覆い、下端は両大腿部付近（鼠径部より下方）までの長さを有し、股部で左右の大腿部を独立して覆うようにパンツ状に二つに分かれ、両大腿部の上面で下端から上端にかけて開放できるように開放部が本体部に対して開放部の両側でファスナーで接離可能に接続されており、両大腿部間に設けた連結部によって本体部と開放部を一体に連続させ、連結部に排水管を接続させ、本体部もしくは開放部に内側に向けて二つの長手袋を設けると共に温水ホース導入口を設けて介護用下腹部洗滌用カバーとしたことを特徴とする。
【０００７】
さらに、上記洗滌用カバーと、温水シャワー供給装置と、排水槽とよりなる介護用下腹部洗滌装置としたことを特徴とずる。
【発明の効果】
【０００８】
これにより、本発明は、シャワーで流しながら下腹部だけを洗うことができ、しかも被介護者はベッドや布団の上で寝ながら洗滌が可能となるという効果を有する。
さらに、小型に折り畳んで持ち運びが可能であるために、どこでも入浴させることができるという効果を有する。
【発明を実施するための最良の形態】
【０００９】
以下に、図面を参照して本発明の実施例を説明する。
図１は本発明の実施例を示す説明図、図２は洗滌用カバーの開放状態の説明図、図３は洗滌用カバーの着用状態の説明図である。
図において、１は洗滌用カバーであり、合成樹脂やゴム等の遮水性のあるシート製であ
り、下腹部（腰部）を十分なゆとりをもって覆うことができる幅があり、上端は腹部までを覆い、下端は両大腿部付近（鼠径部より下方）までの長さを有し、股部で左右の大腿部を独立して覆うようにパンツ状に二つに分かれている。
【００１０】
さらに、この洗滌用カバー１は、両大腿部の下端から腹部の上端にかけて上面が開放できるように本体部２に上側の開放部３がファスナー４、５で接離可能に接続されており、両大腿部を連続させる連結部６によって本体部２と開放部３は一体に連続した構成となっている。
したがって、ファスナー４、５を開けると、図２に示す如く、開放部３は本体部２と股部５で連続した縦長状態で開放部３の内面が上を向いた扁平状態で開放されることになる。
【００１１】
洗滌用カバー１は、この開放された扁平状態で、被介護者が寝たままの状態で腰部の下に敷くようにして配置すると開放部３は被介護者の両脚の間に位置することになる。そこで、開放部３を起こして被介護者の腹部上に載せて両ファスナー４、５を閉じることによって被介護者の下腹部（腰部）を覆うことができる。
この洗滌用カバー１の上端は身体に密着させて水が漏れないようにする。その構造は、一般的な密着構造でよく、例えば、外側からベルトや紐等によって締め付ける構造等である。さらに、必要に応じて上端の内側に向けてリブを設けたような構造としてもよい。下端の大腿部の両開口端も同様の水密構造としてある。
【００１２】
また、上記ファスナーは通常の水密性があるものがよく、凸条と溝の組み合わせによる構成が一般的にある。
上記連結部６には、排水管７の端部が一体に接続してあるかもしくは接続可能となっている（図面には一体に接続した実施例を示す。）。
さらに、本体部２もしくは開放部３（図面では本体部）には、内側に向けて長手袋８、９が設けてあり、介護者が左右の手をいれて腰部の腹側部および尻側部の全体に手が届いて洗うことができるようにしてある。
【００１３】
なお、この長手袋の概念は、上記の如く、かならずしも固着していなくてもよく、手袋をした手をカバー内に入れる挿入口を二つ設けた構成にして、その手をその挿入口から挿入するようにしたものも含むものである。
また、本体部２もしくは開放部３（図面では本体部）に、温風導入口１０および温水ホース導入口１１が設けてある。
【００１４】
以上説明したような洗滌用カバー１を使用するには、温風供給装置１２、温水シャワー供給装置１３等が接続される。なお、温風供給装置１２は必須ではない。
これら各装置は現在それぞれ単品として普及している。例えば、温風供給装置は布団乾燥機があり、温水シャワー供給装置はポータブル型の温水シャワー供給装置があり、これらの装置をそのままもしくは適宜改良して用いることができる。
【００１５】
図１に温風供給装置１２、温水シャワー供給装置１３および排水槽１４を一体に組み込んだ搬送供給装置１５を示す。
つぎに、上記構成の洗滌用カバーの使用について説明する。
まず、洗滌用カバー１の開放部３をファスナー４、５を開けることによって開放し、図２に示す如く、扁平状態とする。
【００１６】
この扁平状態で、ベッド上、布団上等で仰向けに寝た状態の被介護者の腰部の下に洗滌用カバー１を敷き、開放部３を両大腿部の間に身体の股部から十分な間隔を保って連結部６を位置させておく。
つぎに、開放部３を本体部２側に倒し、ファスナー４、５を閉じることによって腰部を覆うことができる。
【００１７】
そこで、上端開口のベルトや紐を締めて閉じて上半身の所定個所を締めてシャワーの湯および温風が漏れないようにする。なお、別体のベルトや紐の場合はそのベルトや紐で締めればよい。
同様に、下部開口のベルトや紐を締めて大腿部を締めてシャワーの湯および温風が漏れ
ないようにする。以上によって被介護者の腰部は洗滌用カバー１内にお湯と温風が外側と遮断された状態になる。
【００１８】
そこで、温風供給装置１２のホースを温風導入口１０に、また、温水ホース導入口１１に温水シャワー供給装置１３のシャワー蛇口を挿入し、さらに排水管７の開口を排水槽１４に挿入して排水が排水管７の開口端から排水槽１４内に排出するようにする。
この状態で、介護者はベッド等上で寝ている被介護者に沿って位置し、手袋８、９に手を入れてシャワー蛇口のスイッチによって温水をだしながら被介護者の下腹部（腰部）全体を洗うことができる。
【００１９】
使用された温水は排水管７から順次に排水槽１４に排出されるために、使用した温水は閉じられている上下端部からカバー外に漏れることがない。
また、温風供給装置１２を用いることにより、洗滌用カバー１内は温風供給装置１２からの温風によって保温状態を保つことができ、さらに、風船状に膨らませて作業するために手にカバーが触れて邪魔にならない状態で腰部全体を洗うことができる。
【００２０】
洗い終わったら、長手袋８、９から手を抜いて温水シャワー供給装置１３および温風供給装置１２の稼動を止め、ベルトを解除し、ファスナー４、５をひらいて開放部３をあけ、洗滌用カバー１上に残っている湯を排水管７から流し出すと共に被介護者の身体を拭くことができる。洗滌用カバー１を取り除いて洗滌は終了する。
【図面の簡単な説明】
【００２１】
【図１】実施例を示す説明図
【図２】開放状態の説明図
【図３】着用状態の説明図
【符号の説明】
【００２２】
１  洗滌用カバー
２  本体部
３  開放部
４、５  ファスナー
６  連結部
７  排水管
８、９  手袋
１０  温風導入口
１１  温水ホース導入口
１２  温風供給装置
１３  温水シャワー供給装置
１４  排水槽
１５  搬送供給装置
【図１】
2006346189.tif 000003
【図２】
2006346189.tif 000004
【図３】
2006346189.tif 000005